(57)【特許請求の範囲】
【請求項１】
被写体像を撮影画像データに変換する撮像手段と、
静止画撮影を指示するレリーズボタンと、
前記静止画撮影時に、前記撮像手段から得られた撮影画像データを使用して静止画撮影画像に対応する記録画像データを生成する静止画像処理手段と、
前記撮像手段から得られた撮影画像データであるスルー画像または前記記録画像データに基づく静止画撮影画像であるレックビューを表示画像として表示する画像表示手段と、
前記レリーズボタンが操作されたことを検知する指センサと、
前記静止画撮影後の前記レックビュー表示中に前記指センサにより前記レリーズボタンが操作されたことを検知されると、当該レックビューから前記スルー画像に前記表示画像を切替える画像切替手段と
を具備したことを特徴とする電子カメラ装置。
【請求項２】
被写体像を撮影画像データに変換する撮像手段と、
静止画撮影を指示するレリーズボタンと、
前記静止画撮影時に、前記撮像手段から得られた撮影画像データを使用して静止画撮影画像に対応する記録画像データを生成する静止画像処理手段と、
前記撮像手段から得られた撮影画像データであるスルー画像または前記記録画像データに基づく静止画撮影画像であるレックビューを表示画像として表示する画像表示手段と、
前記レリーズボタンから指が離れたことを検知する指センサと、
前記静止画撮影後に前記レックビューを所定時間表示させ、前記指センサによって前記レリーズボタンから指が離れたことが検出されたら、当該レックビューの所定時間表示後も当該レックビュー表示を継続させ、前記指センサによって前記レリーズボタンから指が離れていないことが検出されたら、当該レックビューの所定時間表示後に当該レックビュー表示から前記スルー画像に前記表示画像を切替える画像切替手段と
を具備したことを特徴とする電子カメラ装置。
【請求項３】
前記画像切替手段は、
前記レックビューの所定時間表示後に当該レックビューが継続して表示されている場合に、前記指センサによって前記レリーズボタンに再び指が操作されたことが検出されたら、当該レックビュー表示から前記スルー画像に前記表示画像を切替える
ことを特徴とする請求項２に記載の電子カメラ装置。
【発明の詳細な説明】
【０００１】
【発明の属する技術分野】
本発明は、特に撮影画像を表示する機能を有する電子カメラ装置に関する。
【０００２】
【従来の技術】
近年、被写体を電子的撮像機能により画像データに変換して、当該画像データを記録媒体に記録する電子カメラが普及している。電子カメラは、ディジタルカメラとも呼ばれている電子スチールカメラ以外に、動画撮影を主機能とするディジタルビデオカメラも含む。
【０００３】
一般的に、電子カメラには、例えばカメラ本体の背面側に、ＬＣＤ（液晶デバイス）などからなる表示パネル（以下液晶パネルと表記する）が設けられている。ユーザは、静止画撮影を実行した後に、当該撮影画像が記録画像（以下ＲＥＣビューと表記する場合がある）として、液晶パネルに表示されることにより撮影結果を確認することができる。
【０００４】
この確認表示の方法としては、電子カメラを撮影モードから再生モードに切替えて、撮影動作により記録媒体に記録された記録画像データを使用して、ＲＥＣビューを液晶パネルに適宜表示させる方法がある。また、撮影モード時に、静止画撮影動作の直後にＲＥＣビューを液晶パネルに表示させる方法もある。
【０００６】
【発明が解決しようとする課題】
ユーザは、静止画撮影を実行するときに、撮影直後に撮影結果を確認し、そのまま撮影を継続したい場合がある。ユーザは、撮影直後には表示画面上でＲＥＣビューを確認し、次の撮影ではスルー画像を確認する必要がある。
【０００９】
そこで、本発明の目的は、常時スルー画像表示を実行し、かつ適宜ＲＥＣビュー表示も可能とした電子カメラ装置を提供することにある。
【００１１】
【課題を解決するための手段】
本発明は、被写体像を撮影画像データに変換する撮像手段と、静止画撮影を指示するレリーズボタンと、前記静止画撮影時に、前記撮像手段から得られた撮影画像データを使用して静止画撮影画像に対応する記録画像データを生成する静止画像処理手段と、前記撮像手段から得られた撮影画像データであるスルー画像または前記記録画像データに基づく静止画撮影画像であるレックビューが表示される画像表示手段と、前記レリーズボタンが操作されたことを検知する指センサと、前記静止画撮影後の前記レックビュー表示中に前記指センサにより前記レリーズボタンが操作されたことを検知されると、当該レックビューから前記スルー画像に前記表示画像を切替える画像切替手段とを備えた電子カメラ装置である。
【００１６】
【発明の実施の形態】
以下図面を参照して、本発明の実施の形態を説明する。
【００１７】
（第１の実施形態における電子カメラの構成）
図１は、第１の実施形態に関係する電子カメラの要部を示すブロック図である。同実施形態の電子カメラは、静止画撮影機能を有する電子スチールカメラ（ディジタルカメラ）を想定しているが、当然ながら、動画撮影機能を主機能とし、静止画撮影機能も有するディジタルビデオカメラにも適用可能である。
【００１８】
同実施形態の電子カメラは、図１に示すように、大別して撮影系１、画像処理系２、システムコントローラ３、入力操作系４、記録系５、及び表示系６から構成されている。これ以外にも、画像データを外部へ出力するための出力系もあるが、同実施形態では説明を省略する。
【００１９】
撮影系１は、レンズ１０、絞り部１１、シャッタ１２、ＣＣＤからなる撮像素子１３、撮像回路１４、Ａ／Ｄコンバータ１５及びオートフォーカス（Ａ／Ｆ）機構１６を有する。ＣＣＤ１３は、数百万画素程度の静止画用撮像素子である。撮像回路１４は、露光、ＣＣＤ１３からの撮像信号の読出し処理、素子シャッタ制御、及びＣＣＤ１３に対する電力供給のオン／オフ制御などの処理を行なう。
【００２０】
シャッタ・レリーズのオン操作は、後述する入力操作系４のレリーズボタン４０により実行される。
【００２１】
Ａ／Ｄコンバータ１５は、撮像回路１４によりＣＣＤ１３から読出された撮像信号をディジタル画像データ（静止画撮影画像データ）に変換する。また、シャッタ１２は、後述するシステムコントローラ３からのシャッタ・レリーズ信号（ＳＣ３）に応じて開閉し、ＣＣＤ１３から撮像信号の読出し時（静止画撮影時）には閉じられる。レンズ１０は、Ａ／Ｆ機構１６によりフォーカス（ズーム）駆動されるように構成されている。
【００２２】
画像処理系２は、具体的には画像処理用ＣＰＵ（マイクロプロセッサ）及びその制御プログラムを格納したメモリから構成されている。図１に示す静止画処理部２０及び圧縮／伸長処理部２４は、ＣＰＵによる機能要素である。バッファメモリ２２はフレームメモリとも呼ばれており、例えば１画面分（１フレーム）の画像データを格納する。
【００２３】
静止画処理部２０は、Ａ／Ｄコンバータ１５から得られた高画素の画像データを処理して１画面分の静止画像データを生成し、バッファメモリ２２に格納する。画像記録動作では、圧縮／伸長処理部２４がバッファメモリ２２に格納された静止画像データを例えばＪＰＥＧ方式により画像圧縮して、記録系５のディスクドライブ５１に出力する。ディスクドライブ５１は、ディスク記録媒体５０を駆動して、圧縮された静止画像データを記録する。一方、画像再生動作では、圧縮／伸長処理部２４は、ディスクドライブ５１を介してディスク記録媒体５０から読出した圧縮データを元の静止画像データに伸長して、バッファメモリ２２に格納する。
【００２４】
ここで、記録系５は、例えば光磁気ディスクシステムを想定し、ディスクドライブ５１と、光磁気ディスクであるディスク記録媒体５０を有する。なお、記録系５は、フラッシュＥＥＰＲＯＭを使用したメモリカードや、磁気ディスクを使用するハードディスクドライブでもよい。
【００２５】
表示系６は、液晶パネル６０、表示制御部６１、スルー画表示メモリ（ビデオＲＡＭまたはＦＩＦＯメモリ）６２、及び画像合成切替部６４を有する。液晶パネル６０は、ＥＶＦ表示画面を有するファインダ（液晶モニタ）を構成する。表示制御部６１は、液晶パネル６０の表示駆動を行なう制御ドライバである。表示制御部６１は、画像合成切替部６４によりスルー画表示メモリ６２に保持された画像データにより、液晶パネル６０の表示画面上にスルー画像を表示するモード及びＲＥＣビュー表示モード（後述する）を実行する。なお、液晶パネル６０は、カメラ本体の背面側に配置されるＥＶＦまたは覗き込み型ＥＶＦのいずれでもよい。
【００２６】
画像合成切替部６４は、システムコントローラ３の再生モード制御部３２及び撮影モード制御部３３からの制御（コマンド）に応じて、同実施形態に関係する各種の表示モード（スルー画表示モードを含む）の切替処理及び後述する画像合成処理を実行する。即ち、画像合成切替部６４は、再生モード制御部３２の制御に応じて、ディスク記録媒体５０からバッファメモリ２２を介して送られた記録画像データを使用して、ＲＥＣビュー表示モードを実行する。再生モード制御部３２と撮影モード制御部３３は、入力操作系４のモード切替スイッチ４３の操作に応じて切替えられる。
【００２７】
画像合成切替部６４は、静止画撮影の直後に、撮影モード制御部３３の制御に応じて、静止画処理部２０から出力された静止画データを使用して、２種類のＲＥＣビュー表示モードを実行する。即ち、ＲＥＣビューのみを表示する表示モード（図５（Ｂ）を参照）、及びスルー画像とＲＥＣビューとを合成した表示モード（図４（Ｂ）を参照）である。これらの２種類のＲＥＣビュー表示モードは、撮影モード制御部３３に含まれる表示モード切替制御部３１からのコマンドに応じて切替えられる。表示モード切替制御部３１は、入力操作系４のＲＥＣ表示モードスイッチ４２の操作に応じて実行する。
【００２８】
また、画像合成切替部６４は、撮影モード制御部３３に含まれるＲＥＣ表示制御部３０からコマンドが出力されている期間中に、２種類のＲＥＣビュー表示モードのいずれかを実行する（図６を参照）。図６（Ａ）は、表示画面の全体にＲＥＣビュー４０１を表示するモードを示す。同図（Ｂ）は、表示画面の主領域にはスルー画像４００を表示し、その一部にＲＥＣビュー４０１を表示するモードを示す。なお、同実施形態の典型的な表示モードは、図４または図５に示す表示形態でのＲＥＣビュー表示モードである。
【００２９】
ＲＥＣ表示制御部３０は、入力操作系４のシャッタ・レリーズボタン（以下レリーズボタンと省略する）４０の近傍に設けられた指センサ４１からの検知信号に応じて、画像合成切替部６４にコマンドを出力する（図３のフローチャートを参照）。
【００３０】
システムコントローラ３は、制御用ＣＰＵ（マイクロプロセッサ）及びその制御プログラムを格納したメモリから構成されており、撮影系１、画像処理系２、記録系５、及び表示系６の各要素を制御する。また、システムコントローラ３は、入力操作系４の指センサ４１からの検知信号及び各種の操作キー４０，４２，４３の操作入力を受け付ける。システムコントローラ３は、前述したように、再生モード制御部３２及び撮影モード制御部３３を有し、同実施形態に関係する表示モードの制御を実行する。なお、システムコントローラ３は、各種の制御信号ＳＣ１〜ＳＣ５を出力して、通常の電子カメラの動作に必要な撮影系１のＡ／Ｆ機構１７、絞り部１１、シャッタ１２、圧縮／伸長処理部２４、及びディスクドライブ５１の動作を制御する。
【００３１】
（指センサの構成）
同実施形態の指センサ４１は、図２（Ａ）に示すように、レリーズボタン４０の近傍に設けられたフォトセンサ４１Ａからなる。フォトセンサ４１Ａは、入射光４１Ｃが通過するレリーズボタン４０に設けられた透光用窓４１Ｂが、ユーザの指により遮断または開放されたことに応じて、入射光４１Ｃの有無を検出してシステムコントローラ３へ検知信号を出力する。システムコントローラ３は、指センサ４１により、ユーザがレリーズボタン４０を操作または離したことを検知する。
【００３２】
また、図２（Ｂ）に示すように、指センサ４１は、レリーズボタン４０の近傍に設けられたフォトセンサ４１Ａ、及びレリーズボタン４０の近傍に設けられた透光用窓４１Ｂから構成されていてもよい。
【００３３】
（第１の同実施形態の表示動作）
以下図１と共に、図３のフローチャート及び図４，図５の概念図を参照して、同実施形態に関係する表示動作を説明する。
【００３４】
まず、入力操作系４のモード切替スイッチ４３により再生モードが設定されると、システムコントローラ３の再生モード制御部３２が機能する（ステップＳ１のＮＯ，Ｓ９のＹＥＳ）。この再生モード制御部３２の制御に応じて、画像合成切替部６４は、ディスク記録媒体５０からバッファメモリ２２を介して送られた記録画像データを使用して、ＲＥＣビュー表示処理を実行する（ステップＳ１０）。即ち、液晶パネル６０の表示画面上には、静止画撮影に伴って記録された静止画像が表示される。
【００３５】
一方、モード切替スイッチ４３により撮影モードが設定されると、撮影モード制御部３３が機能して、画像合成切替部６４は、スルー画表示メモリ６２に格納された静止画像データを使用して、液晶パネル６０の表示画面上にスルー画表示処理（ＥＶＦ表示モード）を実行する（ステップＳ１のＹＥＳ，Ｓ２）。即ち、撮影系１により入力された撮影画像データが静止画処理部２０により処理されて、表示画面上にスルー画像として表示される（図４（Ａ）または図５（Ａ）を参照）。
【００３６】
ここで、入力操作系４のＲＥＣ表示モードスイッチ４２の操作に応じて、表示モード切替制御部３１は、画像合成切替部６４に対して、２種類のＲＥＣビュー表示モードの一方を設定する（ステップＳ３，Ｓ４）。即ち、ＲＥＣビューのみを表示する表示モード（図５（Ｂ）を参照）、またはスルー画像とＲＥＣビューとを合成した表示モード（図４（Ｂ）を参照）の一方が選択的に設定される。
【００３７】
次に、レリーズボタン４０が操作されると、システムコントローラ３は静止画撮影動作を実行する（ステップＳ５のＹＥＳ，Ｓ６）。即ち、撮影系１により撮影された撮像データは、静止画処理部２０により処理されて、静止画記録データとしてバッファメモリ２２に格納される。
【００３８】
画像合成切替部６４は、表示モード切替制御部３１によりＲＥＣビューのみを表示する表示モードが設定されていると、静止画撮影直後に、バッファメモリ２２に格納された静止画記録データを使用して、ＥＶＦ表示画面上にＲＥＣビュー表示処理を実行する（図５を参照）。この場合、指センサ４１により、ユーザの指がレリーズボタン４０から離れたことが検知されると、画像合成切替部６４は、自動的にスルー画表示モードからＲＥＣビュー表示モードに切替える（ステップＳ７のＮＯ，Ｓ８）。ここでは、図５（Ａ）に示すスルー画表示モードから、同図（Ｂ）に示すＲＥＣビューのみを表示する表示モード（表示画面の全領域にＲＥＣビューを表示する）に変更となる。画像合成切替部６４は、例えば３秒間程度のＲＥＣビュー表示モードを実行した後に、元のスルー画表示モードに戻す（図５（Ｂ）から図５（Ａ）へ変更）。
【００３９】
一方、表示モード切替制御部３１によりスルー画像とＲＥＣビューとを合成した表示モードが設定されていると、画像合成切替部６４は、静止画撮影直後に、スルー画表示メモリ６２からのスルー画像とバッファメモリ２２に格納された静止画像とを合成して、ＥＶＦ表示画面上に画像合成によるＲＥＣビュー表示処理を実行する（図４を参照）。即ち、画像合成切替部６４は、自動的に図４（Ａ）に示すスルー画表示モードから、同図（Ｂ）に示すＲＥＣビュー表示モードに切替える。従って、ＥＶＦ表示画面上には、レリーズボタン４０の操作に応じて静止画撮影されたＲＥＣビュー４０１が、スルー画像４００と共に、同一の表示画面に表示される。換言すれば、スルー画表示画面上の一部に、静止画撮影直後のＲＥＣビュー４０１が表示される。
【００４０】
以上のように同実施形態によれば、撮影モード時に、ＥＶＦ表示画面上でスルー画表示を実行すると共に、静止画撮影の実行直後に、ＲＥＣビュー表示を実行する。ＲＥＣビュー表示モードは、例えば３秒間程度経過した後に、元のスルー画表示モードに変更される。従って、ユーザは、静止画撮影直後に、静止画撮影画像（記録画像）をＲＥＣビュー表示モードにより確認できると共に、元のスルー画表示モードで静止画撮影を継続することができる。また、同実施形態では、スルー画表示画面上の一部に、静止画撮影直後のＲＥＣビューを表示するＲＥＣビュー表示モードが用意されている。従って、ユーザは静止画撮影直後に、同一表示画面上で、静止画撮影画像（記録画像）をＲＥＣビュー表示により確認できると共に、現時点でのスルー画表示も同時に確認することが可能となる。
【００４１】
（変形例）
図７及び図８は、同実施形態の変形例に関係する図であり、ＲＥＣビュー表示モードの手順のみを示すフローチャートである。
【００４２】
図７に示す変形例では、静止画撮影の直後に、指センサ４１により、ユーザの指がレリーズボタン４０から離れたことが検知されると、画像合成切替部６４は、図４または図５に示すように、自動的にスルー画表示モードからＲＥＣビュー表示モードに切替える（ステップＳ２０のＮＯ，Ｓ２１）。但し、本変形例は、ユーザがレリーズボタン４０を操作すると、画像合成切替部６４は、ＲＥＣビュー表示モードからスルー画表示モードに戻す（ステップＳ２２のＹＥＳ）。
【００４３】
従って、ユーザが次の静止画撮影を実行すると、直ちにスルー画表示モードに戻るが、逆にレリーズボタン４０を操作しない場合にはＲＥＣビュー表示モードを維持している（ステップＳ２２のＮＯ）。なお、本変形例においても、他の処理手順は、図３のフローチャートに示すものと同様である。
【００４４】
また、図８に示す変形例では、静止画撮影の直後に、ユーザの指がレリーズボタン４０から離れていない場合でも、画像合成切替部６４は、自動的にスルー画表示モードからＲＥＣビュー表示モードに切替えて、例えば３秒間程度だけＲＥＣビュー表示を実行する（ステップＳ３１）。さらに、ユーザの指がレリーズボタン４０から離れていない場合、即ち、次の静止画撮影を実行または準備状態であれば、画像合成切替部６４は、ＲＥＣビュー表示モードからスルー画表示モードに戻す（ステップＳ３２のＹＥＳ）。
【００４５】
一方、ユーザの指がレリーズボタン４０から離れた場合には、画像合成切替部６４は、ＲＥＣビュー表示モードを維持する（ステップＳ３２のＮＯ，Ｓ３３）。さらに、ユーザがレリーズボタン４０を操作する場合には、画像合成切替部６４は、ＲＥＣビュー表示モードからスルー画表示モードに戻す（ステップＳ３４のＹＥＳ）。
【００４６】
従って、本変形例は、最初の静止画撮影の直後では例えば３秒間程度だけＲＥＣビュー表示を実行し、その後に静止画撮影を継続する場合にはスルー画表示モードに戻す。なお、本変形例においても、他の処理手順は、図３のフローチャートに示すものと同様である。
【００４７】
（第２の実施形態）
図９は、第２の実施形態に関係する電子カメラの要部を示すブロック図であり、図１０は同実施形態の表示動作を説明するためのフローチャートである。
【００４８】
同実施形態の電子カメラは、静止画用撮像素子（静止画用ＣＣＤ）１３Ｓ及び動画用撮像素子（動画用ＣＣＤ）１３Ｍを有し、動画撮影と静止画撮影の両機能を備えたものを想定する。同実施形態の電子カメラの構成は、動画撮影系、動画記録系、及び動画系を利用した表示系６以外、図１に示す構成と同様である。以下、同実施形態に関係する構成のみを説明する。
【００４９】
撮影系１は、数百万画素程度で相対的に高画素の静止画用ＣＣＤ１３Ｓ、及び数十万画素程度で相対的に低画素の動画用ＣＣＤ１３Ｍを有する。これらの各ＣＣＤ１３Ｓ，１３Ｍに対応して、撮影系１は、撮像回路１４Ｓ，１４Ｍ、及びＡ／Ｄコンバータ１５Ｓ，１５Ｍを有する。さらに、撮影系１は、分光部（ビームスプリッタ）１２０を有し、この分光部１２０により動画用ＣＣＤ１３Ｍ及び静止画用ＣＣＤ１３Ｓに対して、レンズ１０から入射された入射光を供給する。
【００５０】
画像処理系２では、動画処理部２１、バッファメモリ２３及び圧縮／伸長処理部２５の動画系の各要素が設けられている。動画処理部２１は、Ａ／Ｄコンバータ１５Ｍから得られた低画素の画像データを処理して１フレーム（動画フレーム）毎の動画像データを生成し、バッファメモリ２３に格納する。画像記録動作では、動画撮影ボタン（図示せず）の操作に応じて、圧縮／伸長処理部２５がバッファメモリ２３に格納された動画像データを例えばモーションＪＰＥＧ方式により画像圧縮して、記録系５のディスクドライブ５１に出力する。ディスクドライブ５１は、ディスク記録媒体５０を駆動して、圧縮された動画像データ（複数の動画フレームからなる）を記録する。一方、画像再生動作では、圧縮／伸長処理部２５は、ディスクドライブ５１を介してディスク記録媒体５０から読出した圧縮データを元の動画像データに伸長して、バッファメモリ２３に格納する。
【００５１】
表示系６では、ＥＶＦ表示モードとして、動画用ＣＣＤ１３Ｍの撮像信号を動画処理部２１により処理された動画像データが使用される。即ち、画像合成切替部６４は、動画処理部２１からスルー画表示メモリ６２に格納された動画像データを表示制御部６１に送出して、液晶パネル６０に撮影画像（スルー画像）をＥＶＦ表示させる。
【００５２】
再生モード時には、第１の実施形態と同様に、画像合成切替部６４は、ディスク記録媒体５０からバッファメモリ２２を介して送られた記録画像データを使用して、ＲＥＣビュー表示処理を実行する。また、同実施形態では、撮影モード時のＲＥＣビュー表示モードは、動画用ＣＣＤ１３Ｍの撮像信号を動画処理部２１により処理された動画像データを使用する（後述する）。
【００５３】
なお、動画処理部２１からの動画像データ（動画用ＣＣＤ１３Ｍの撮像信号）は、システムコントローラ３に入力されて、撮影条件（自動合焦（ＡＦ）、自動露光（ＡＥ）など）の設定にも使用される。従って、動画用ＣＣＤ１３Ｍは、いわば撮影条件の設定用ＣＣＤでもある。
【００５４】
（第２の実施形態における表示動作）
以下図９と共に、図１０のフローチャートを参照して同実施形態に関係する表示動作を説明する。
【００５５】
まず、入力操作系４のモード切替スイッチ４３により再生モードが設定されると、システムコントローラ３の再生モード制御部３２が機能する（ステップＳ１００のＮＯ，Ｓ１０８のＹＥＳ）。この再生モード制御部３２の制御に応じて、画像合成切替部６４は、ディスク記録媒体５０からバッファメモリ２２を介して送られた記録画像データを使用して、ＲＥＣビュー表示処理を実行する（ステップＳ１０９）。即ち、液晶パネル６０の表示画面上には、静止画撮影に伴って記録された静止画像が表示される。
【００５６】
一方、モード切替スイッチ４３により撮影モードが設定されると、撮影モード制御部３３が機能して、画像合成切替部６４は、スルー画表示メモリ６２に格納された動画像データを使用して、液晶パネル６０の表示画面上にスルー画表示処理（ＥＶＦ表示モード）を実行する（ステップＳ１００のＹＥＳ，Ｓ１０１）。即ち、撮影系１の動画用ＣＣＤ１３Ｍにより入力された動画像データが、ＥＶＦ表示画面上にスルー画像として表示される。
【００５７】
ここで、入力操作系４のＲＥＣ表示モードスイッチ４２の操作に応じて、表示モード切替制御部３１は、画像合成切替部６４に対して、２種類のＲＥＣビュー表示モードの一方を設定する（ステップＳ１０２，Ｓ１０３）。この表示モード切替処理は、第１の実施形態と同様である（図４及び図５を参照）。
【００５８】
次に、レリーズボタン４０が操作されると、システムコントローラ３は静止画撮影動作を実行する（ステップＳ１０４のＹＥＳ，Ｓ１０５）。即ち、撮影系１により撮影された撮像データは、静止画処理部２０により処理されて、静止画記録データとしてバッファメモリ２２に格納される。ここで、同実施形態では、画像合成切替部６４は、静止画撮影直後に、バッファメモリ２３に格納された動画像データを使用して、ＥＶＦ表示画面上にＲＥＣビュー表示処理を実行する（ステップＳ１０６，Ｓ１０７）。即ち、指センサ４１により、ユーザの指がレリーズボタン４０から離れたことが検知されると、画像合成切替部６４は、自動的にスルー画表示モードからＲＥＣビュー表示モードに切替える（例えば図４（Ａ）から図４（Ｂ）へ変更）。画像合成切替部６４は、例えば３秒間程度のＲＥＣビュー表示モードを実行した後に、元のスルー画表示モードに戻す（図４（Ｂ）から図４（Ａ）へ変更）。
【００５９】
以上のように同実施形態によれば、ＥＶＦ表示画面上でのスルー画表示モードは、動画系による動画像データを使用して実行される。従って、低画素数の動画像データを処理する動画処理部２１は高速処理が可能であるため、結果的に高速のスルー画表示処理を実現できる。また、静止画撮影モード時においても、低画素数の動画像データを使用したＲＥＣビュー表示モードを実行する。従って、高画素数の静止画像データを処理する静止画撮影モードの場合でも、高速のＲＥＣビュー表示処理を実現できる。この場合、当然ながら静止画像データを使用するＲＥＣ表示モードと比較して、表示画質が低下するが、撮影時には構図確認などが目的であるため十分である。なお、同実施形態においても、図７及び図８に示す変形例を適用することができる。
【００６０】
【発明の効果】
以上詳述したように本発明によれば、常時スルー画像表示を実行し、かつ適宜ＲＥＣビュー表示も可能としたＥＶＦ機能を提供することができる。従って、ユーザは、同一表示画面上で、静止画撮影直後の撮影結果を確認できると共に、そのまま撮影を継続したい場合にはスルー画像を確認することができる。
【図面の簡単な説明】
【図１】本発明の第１の実施形態に関係する電子カメラの要部を示すブロック図。
【図２】同実施形態に関係する指センサの具体例を示す図。
【図３】同実施形態の動作を説明するためのフローチャート。
【図４】同実施形態に関係する表示モードを説明するための図。
【図５】同実施形態に関係する表示モードを説明するための図。
【図６】同実施形態に関係する表示モードを説明するための図。
【図７】同実施形態の変形例に関係するフローチャート。
【図８】同実施形態の変形例に関係するフローチャート。
【図９】本発明の第２の実施形態に関係する電子カメラの要部を示すブロック図。
【図１０】同実施形態の動作を説明するためのフローチャート。
【符号の説明】
１…撮影系、２…画像処理系、３…システムコントローラ、
４…入力操作系、５…記録系、６…表示系、１０…レンズ、
１１…絞り部、１２…シャッタ、１３，１３Ｓ…静止画用撮像素子（静止画用ＣＣＤ）、
１３Ｍ…動画用撮像素子（動画用ＣＣＤ）、１４，１４Ｓ，１４Ｍ…撮像回路、
１５，１５Ｓ，１５Ｍ…Ａ／Ｄコンバータ、１６…オートフォーカス（Ａ／Ｆ）機構、
２０…静止画処理部、２１…動画処理部、２２，２３…バッファメモリ、
２４，２５…圧縮／伸長処理部、３０…ＲＥＣ表示制御部、
３１…表示モード切替制御部、３２…再生モード制御部、３３…撮影モード制御部、
４０…レリーズボタン、４１…指センサ、４２…ＲＥＣ表示モードスイッチ、
４３…モード切替スイッチ、５０…ディスク記録媒体、５１…ディスクドライブ、
６０…液晶パネル、６１…表示制御部、６２…スルー画表示メモリ、
６４…画像合成切替部、１２０…分光部（ビームスプリッタ）。
【図１】
0004503741.tif 000002
【図２】
0004503741.tif 000003
【図３】
0004503741.tif 000004
【図４】
0004503741.tif 000005
【図５】
0004503741.tif 000006
【図６】
0004503741.tif 000007
【図７】
0004503741.tif 000008
【図８】
0004503741.tif 000009
【図９】
0004503741.tif 000010
【図１０】
0004503741.tif 000011